(57)【要約】【課題】互いに連結して連続状態に敷設した敷板は、必要があっても敷設面の中央部分から取り剥がすことができない。【解決手段】敷詰め可能な角形で平板状の敷板本体１を形成する。この敷板本体を敷詰めたときに互いに連結することができるように、敷板本体１の側辺部に連結係止片６と、この連結係止片６が嵌合することができるような連結係止孔７を設けて角形敷板９とする。そして、この角形敷板９の上記連結係止片６又は連結係止孔７の少なくとも一方を有するように上記敷板本体１を分割して敷板１１とする。上記敷板１１が角形敷板９によって取囲まれるように組合わせて、連結係止片６と連結係止孔７を嵌め合わることにより連結状態に配置して敷設する。上記敷板１１は、敷設面の中央部分にあっても容易に取り剥がすことができる。【選択図】図８
2014025275.tif 000002
【特許請求の範囲】
【請求項１】
敷詰め可能な角形平板状の敷板本体を有し、敷詰める敷板本体を互いに連結することができるように敷板本体の側辺部に連結係止片と、この連結係止片が嵌合することができるような連結係止孔を設け、少なくとも上記連結係止片又は連結係止孔を有するように上記敷板本体を分割して形成した敷板。
【請求項２】
上記敷板本体は４角形又は６角形を為している請求項１に記載の敷板。
【請求項３】
上記敷板本体の上面側には滑り止め突起が形成され、この敷板を積重ねたときにずれ動かないように敷板本体の下面側に上記滑り止め突起と係合可能な補強突条を形成している請求項１または２に記載の敷板。
【請求項４】
敷詰め可能な角形平板状の敷板本体を有し、敷詰める敷板本体を互いに連結することができるように敷板本体の側辺部に連結係止片と、この連結係止片が嵌合することができるような連結係止孔を設けた角形敷板と、上記角形敷板の連結係止片又は連結係止孔の少なくとも一方を有するように上記敷板本体を分割して形成した敷板とを具備する敷板組合せ体。
【請求項５】
上記角形敷板及び敷板の敷板本体の上面側には滑り止め突起が形成され、この角形敷板及び敷板を積重ねたときにずれ動かないように敷板本体の下面側に上記滑り止め突起と係合可能な補強突条を形成している請求項４に記載の敷板組合せ体。
【請求項６】
上記敷板が上記角形敷板によって取囲まれるように配置されている請求項４または５に記載の敷板組合せ体。
【発明の詳細な説明】
【技術分野】
【０００１】
本発明は、工事現場における車両搬出入路、仮設路面、各種の野外イベント会場、荒れ地などに敷設される敷板及び敷板組合せ体に関するものである。
【背景技術】
【０００２】
この種の敷板としては、四角形状の第１の側端面に上向きの第１の連結部を設け、これに対向する第２の側端面に下向きの第２の連結部を設け、他の第３及び第４の側端面に上向きの第３連結部と下向きの第４の連結部とをそれぞれ設け、隣接する他の敷板との間において、第１の連結部と第２の連結部、第３の連結部と第４の連結部をそれぞれ連結できるようにしたものが知られている（特許文献１）。
【０００３】
また、六角形状の板本体の各辺に第１の結合部と第２の結合部とを交互に形成し、第１結合部の円弧凹部と第２結合部の円弧状嵌合部とを結合することにより、隣接する板本体をほぼ同一平面上で連結するように構成した敷板も知られている（特許文献２）。
【先行技術文献】
【特許文献】
【０００４】
【特許文献１】特開平９−３０２６０６号公報
【特許文献２】特開平８−１４４２１３号公報
【発明の概要】
【発明が解決しようとする課題】
【０００５】
上記したような敷板は、連結部や結合部を嵌合することによって、上記の如き工事現場などに敷設することができるが、これらを撤収するときには敷設した周縁部から順次剥がして行かなければならない。また、一度敷設してしまうと、連続する敷設面の中央部分の一部だけを剥がすようなこともできないという使い勝手の悪い点が見られる。さらに、これらの敷板をストックしておく場合にも効率的に保管しておくことができないという不便な点があった。
【課題を解決するための手段】
【０００６】
本発明は、上記の如き課題を解決するために為されたもので、敷詰め可能な角形平板状の敷板本体があり、この敷詰めた敷板本体を互いに連結することができるように敷板本体の側辺部に連結係止片と、この連結係止片が嵌合することができるような連結係止孔を設けて角形敷板とする。
この角形敷板の上記連結係止片又は連結係止孔の少なくとも一方を有するように上記敷板本体を複数個に分割して敷板とする。
【０００７】
上記敷板と角形敷板を組合せ、それらの連結係止片と連結係止孔を嵌め合わることによって連結状態にし、荒地などの所望の箇所に敷設することができる。上記敷板は、上記角形敷板によって取囲まれるような所望の位置に配置すると、敷き詰めた中央部分の敷板からも容易に剥がすことができるようになる。
【０００８】
上記敷板本体は４角形又は６角形に形成すると良く、敷板本体の上面側には滑り止め突起を設け、敷板本体の下面側には上記突起と係合可能にされた補強突条を設けており、この敷板や角形敷板を積重ねたときにずれ動かないようにしている。
【発明の効果】
【０００９】
本発明は上記の如く構成されているので、敷板のみで、又は敷板と角形敷板を組合わせて、上記連結係止片と連結係止孔を嵌め合わせながら順次連結して行き所望の場所に敷き詰めることができる。上記敷板は、上記角形敷板によって取囲まれるような位置に配置しておくと、敷設面の中央部分であっても上記敷板を容易に剥がすことができ、これによって隣接する角形敷板も順次剥がすことができるので、必要によって敷設面の中に敷板や角形敷板などが無い部分を設けることができる。また、敷設面の全体を周縁部分からだけではなく、中央部分からも剥して行くことができるので、敷板類の撤収なども迅速、容易に行うことができる。
【００１０】
また、敷板本体の上面側に設けた滑り止め突起は、敷板本体の下面側に設けた補強突条と係合可能に形成されているので、敷板同士、角形敷板同士をずれ動かないように順次積重ねることができるし、敷板と角形敷板を混ぜた状態で順次積重ねることもできるので、敷板や角形敷板を整頓して安定的に輸送したり保管したりすることができる。
【図面の簡単な説明】
【００１１】
【図１】本発明の実施例を示す角形敷板の斜視図である。
【図２】図１に示すものの下面側の斜視図である。
【図３】本発明の実施例を示す敷板の斜視図である。
【図４】図３に示すものの下面側の斜視図である。
【図５】図３に示す敷板を図１に示す角形敷板が取り囲むように連結し敷設した状態を示す平面図である。
【図６】図５に示す角形敷板を連結した状態を示す一部省略拡大断面図である。
【図７】図５に示す敷板と角形敷板を連結した状態を示す一部省略拡大断面図である。
【図８】図５に示す敷設状態から敷板を剥がす状態を示す説明図である。
【図９】図８に示す敷板を剥がした状態から更に角形敷板を剥がす状態を示す説明図である。
【図１０】図１に示す角形敷板を積重ねた状態を示す正面図である。
【図１１】図１０に示す積重ね状態における敷板上面側の滑り止め突起と下面側の補強突条との係合状態を示す説明図である。
【図１２】図３に示す敷板を積重ねた状態を示す正面図である。
【図１３】図１２に示す積重ね状態における敷板上面側の滑り止め突起と下面側の補強突条との係合状態を示す説明図である。
【発明を実施するための形態】
【００１２】
敷板本体１は、多数のものを敷詰めることが可能な角形の平板状に形成されており、例えば、４角形とか６角形に形成することができる。上記敷板本体１の角形とは、角形を形成する辺が必ずしも直線である必要は無く、実質的に角形であって敷詰めが可能なものを除外するものではない。
図１、２に示すものは、４角形状に形成された敷板本体１の上面２の４辺から下方に延びる側壁３が形成されている。敷板本体１の下面４側には、側壁３の高さと同程度の補強突条５が設けられていて、敷板本体１を補強するようにしている。
【００１３】
敷板本体１の側壁３における１側辺の側壁３１には、側方に張出してから上方に延びる連結係止片６を形成しており、この１辺に対向する他辺の側壁３２にも同様に連結係止片６を形成している。
上記連結係止片６を設けた隣接辺の側壁３３には、敷板本体１側に入り込んで敷板本体１に開口するような連結係止孔７を設けており、これに対向する他辺の側壁３４にも同様に連結係止孔７を設けている。上記連結係止片６は、上記連結係止孔７に嵌り合うことができるような状態に形成されている。
また、敷板本体１の上面２側には、車輌や人などが滑らないように適宜形状の滑り止め突起８を形成するとよい。
【００１４】
こうした角形敷板９は、プラスチック、軽金属などの適宜の材料で形成することができるが、丈夫なプラスチック、再生プラスチックなどを使用して成形方法により形成すると便利である。この角形敷板９は、運搬、敷設し易い適宜の大きさに形成されるが、例えば、縦・横を４０〜７０ｃｍ程度とし、厚さを３〜６ｃｍ程度とすることができる。また、その重量も１０〜２０ｋｇ程度にすると、重機を使用することなく手作業による運搬や敷設が容易にできるようになる。
【００１５】
この角形敷板９は、隣接する角形敷板９との間で、図６に示すように連結係止片６を連結係止孔７に嵌め合せるようにして連結すれば、順次これを縦横方向に敷設して行くことができる。
【００１６】
上記角形敷板９は、上記した連結係止片６又は連結係止孔７の少なくとも一方を有するように複数個に分割して、敷板１１を形成する。
図３、図４に示すものは、上記した連結係止片６と連結係止孔７が夫々に含まれるように２等分しており、中央部に段部１２を設けるようにして分割した部分に側壁１３を設けるようにしている。この敷板１１の側壁１３の部分を付き合わせるようにすれば、上記角形敷板９と同じ大きさとなるので、上記した角形敷板９と同様にして使用することもできる。
【００１７】
この敷板１１の側壁１３の一端側には切欠部１４を形成しており、他端側には手掛り孔１５を設けており、後記するように敷板１１を敷設した後で敷板を剥がす場合の手掛かりとなって、作業を容易に行うことができるように形成している。
【００１８】
図５に示すものは、敷設状態の一部を示しており、上記した敷板１１の２枚を中央部分に配置し、その周りを角形敷板９で囲むようにしている。
上記角形敷板９同士は、図６に示すように各連結係止片６を連結係止孔７に夫々嵌合するようにして連結している。この角形敷板９は、上記の連結係止片６と連結係止孔７の嵌合によって連結したり、連結を外したりする場合などにおいてこの部分で回転することができるようになっている。
【００１９】
上記敷板１１は、図７に示すようにその側壁１３を突き合わせるようにすれば角形敷板９と同じような形状になるので、各連結係止片６を連結係止孔７に夫々嵌合するようにして連結すれば、上記と同様にして敷設することができる。
【００２０】
図５に示すものでは、敷設した角形敷板９及び敷板１１の上面と敷設した場所との間には、角形敷板９、敷板１１の側壁３の厚さによる段差ができる。そこで、上記の連結係止片６に嵌合する係止孔１６を設けた傾斜板１７や、上記した連結係止孔７に嵌合する係止片１８を設けた傾斜板１９を周縁部分に配置することによって段差を解消するようにしており、各種の車輌が乗入れ易く、また人が歩き易いようにしている。
【００２１】
上記図５に示すように敷設したものは、図８に示すように中央部分に配置している敷板１１の切欠部１４から指や金具を挿入して手掛り孔１５から上方に引き上げるようにすれば、嵌合している連結係止片６と連結係止孔７の部分が回転軸となって回転して持ち上がるので、連結係止片６を連結係止孔７から外して、敷板１１を取外すことができる。対向する他方の敷板１１も同様にして取外すことができるので、中央部分の２枚の敷板１１が無くなる。
【００２２】
こうして中央部分の２枚の敷板１１が無くなると、図９に示すように隣接している角形敷板９を回転しながら持ち上げるようにして、順次取外して行くことができるようになる。こうして、角形敷板９のみを一面に敷き詰めるように敷設した場合には困難であった、中央部分からの取り外しもできるようになるので、周縁部分から行うだけでなく角形敷板９などの撤収を容易かつ迅速に行うことができる。
【００２３】
こうした敷板１１は、上記したように角形敷板９と組合せながら所々に配置するようにして敷設して行けば、効率的に用いることができる。また、敷設する場所などによっては、敷板１１だけを使用して敷設することも可能であり、こうした場合には、どの位置からでも敷板１１を剥がしていくことができるようになり便利なこともある。
【００２４】
上記の角形敷板９には先に述べたように、敷板本体１の上面側に滑り止め突起８を設けており、下面側には補強突条５を設けているが、図１０に示すように角形敷板９を積重ねたときに、図１１に示すように上記滑り止め突起８が補強突条５に係合するように形成している。
すなわち、積重ねたときに、図において６角形に形成した滑り止め突起８が、大きな６角形状に形成してある補強突条５の壁に係合するようになり、これによって積重ねられた角形敷板９はずれ動くことなく積重ね状態を維持することができるので、この角形敷板９を敷設するときや、輸送するときや、保管するときに便利である。
【００２５】
また、敷板１１においても、上記角形敷板９と同様にして図１２に示すように積重ねたときに、図１３に示すように上記滑り止め突起８が補強突条５に係合するように形成しているので、積重ねた敷板１１はずれ動くことなく積重ね状態を維持することができる。
上記した図示するものでは、敷板１１の２枚を角形敷板９の間に介在させるようにして混合状態に積重ねることもできる。
【００２６】
上記した角形敷板の敷板本体を６角形としたものでも同様にして、敷詰めた敷板本体を互いに連結することができるように敷板本体の側辺部に連結係止片と、この連結係止片が嵌合することができるような連結係止孔を設けて角形敷板とすればよい。そして、この角形敷板の上記連結係止片又は連結係止孔の少なくとも一方を有するように上記敷板本体を複数個に分割して敷板とする。
【００２７】
上記敷板を形成する場合に、分割する個数によっては、敷板本体１の側辺の中で連結係止片や連結係止孔を設けないものがあってもよいことがある。
例えば、６角形に形成した敷板本体の１側辺の側壁とその対向する側壁に連結係止片６を設け、これの隣接辺の側壁及びこれに対向する側壁に連結係止孔７を設ける。そして、他の１対の側壁には、上記連結係止片６及び上記連結係止孔７を設けないで、こうした連結係止片６及び上記連結係止孔７の無い対向する２つの側壁を繋ぐような分割線によって２等分するようにして敷板を形成するようなこともできる。
【符号の説明】
【００２８】
１    敷板本体
２    敷板本体の上面
３    側壁
４    敷板本体の下面
５    補強突条
６    連結係止片
７    連結係止孔
８    滑り止め突起
９    角形敷板
１１  敷板
１３  側壁
１４  切欠部
１５  手掛り孔
１７、１９  傾斜板
【図１】
2014025275.tif 000003
【図２】
2014025275.tif 000004
【図３】
2014025275.tif 000005
【図４】
2014025275.tif 000006
【図５】
2014025275.tif 000007
【図６】
2014025275.tif 000008
【図７】
2014025275.tif 000009
【図８】
2014025275.tif 000010
【図９】
2014025275.tif 000011
【図１０】
2014025275.tif 000012
【図１１】
2014025275.tif 000013
【図１２】
2014025275.tif 000014
【図１３】
2014025275.tif 000015